(57)【特許請求の範囲】
【請求項１】
海底砂面（６）上に配置した崩壊性モルタル製ブロック体（１）の孔（２）にアマモ（５）の苗を挿通する植付方法であり、前記ブロック体の孔に生分解性素材で形成され柔軟性に富む円環状クッション体（３）を嵌着し、該クッション体の植込孔（４）にアマモを挿通するアマモの植付方法。
【請求項２】
海底砂面（６）上に配置した崩壊性モルタル製ブロック体（１）の孔（２）にアマモ（５）の苗を挿通する植付方法であり、生分解性素材で形成され柔軟性に富む円環状クッション体（３）の植込孔（４）にアマモを挿通した後、該クッション体をブロック体の孔に嵌着するアマモの植付方法。
【請求項３】
生分解性素材が、乳酸−ポリアルキレングリコール−クエン酸共重合樹脂または未加硫天然ゴムである請求項１又は２に記載のアマモの植付方法。
【請求項４】
アマモ（５）の苗を海底砂面（６）に植付けるために使用する植付ブロックであり、孔（２）を貫通設した崩壊性モルタル製ブロック体（１）と、生分解性素材で形成されて柔軟性に富み，アマモの苗を挿通する植込孔（４）を貫通設し，前記ブロック体の孔に嵌着したクッション体（３）と、からなるアマモの植付ブロック。
【請求項５】
生分解性素材が、乳酸−ポリアルキレングリコール−クエン酸共重合樹脂または未加硫天然ゴムである請求項４に記載のアマモの植付ブロック。
【発明の詳細な説明】
【０００１】
【発明の属する技術分野】
本発明は、アマモを海底に植付ける方法、およびその植付けに使用する植付ブロックに関するものである。
【０００２】
【従来の技術】
アマモは水深５ｍ以下の浅海砂泥域に棲息する多年草の海産顕花植物の一種で、稲や麦と同じ単子葉植物であり、このアマモなどによって形成される藻場は、水質汚濁の原因となる窒素やリンなどを除去して海水を清浄化し、また、幼魚の恰好の生育場所を作り出す。
【０００３】
しかし、アマモの群生する藻場は、埋立てや水質汚濁によって年々減少している。例えば、瀬戸内海などの浅海域においても、藻場の回復が叫ばれ、次に示すような種々の方法でアマモの植付けが行われている。
（甲）人工海草付き生分解性播種シートを用いる方法。
（乙）アマモの藻場を海底の泥砂ごと移動する方法。
（丙）鋼板とエキスパンドメタルからなる底質安定剤にアマモの種子と土を挟み込む方法。
（丁）木綿とナイロンで織り合わせたマットにアマモの種子と泥砂を混合して入れ、海底に設置する方法。
（戊）アマモの種子を直接海底に埋める方法。
（己）中央に穴を開けた崩壊性のモルタルブロックにアマモの苗を移植する方法。
【０００４】
【発明が解決しようとする課題】
これらの植付方法のうち、コスト、作業工数、使用後の資材の回収、着生率等から総合すると、（己）の崩壊性ブロックにアマモの苗を移植する方法が最も好ましい。
【０００５】
しかし、この方法では、海流や波などによってアマモの葉や茎が、硬い材質であるモルタルブロックの孔の内壁に接触して損傷したり切断され易く、その結果、着生率が低いといった問題がある。
【０００６】
本発明はこうした問題に鑑み創案されたもので、崩壊性モルタルブロックにアマモの苗を移植する方法において、アマモの葉や茎が当該モルタルブロックの孔の内壁に接触して切断等されるのを防止して着生率を向上させることのできる植付方法、およびその植付方法に使用する植付ブロックを提供することを課題とする。
【０００７】
【課題を解決するための手段】
まず、本発明に用いる用語について説明する。
崩壊性モルタルブロックとは、経時に伴って海水に溶け、粉粒状態となって海流と共に流れ去る性質を有するモルタルブロックである。また、この崩壊性モルタルブロックは、海中の自然環境を汚染しない材料で形成されている。
【０００８】
海水中において分解し柔軟性を有する生分解性素材は、セルロースやキチン等の天然素材，ポリ乳酸や脂肪族ポリエステル，未加硫天然ゴム等である。
【０００９】
キチンとは、下等動物の主要な構造成分であるムコ多糖の一種で、天然にはたん白質と結合した形で生合成され、甲殻類の塩酸抽出で得られるものである。一般式は、
（Ｃ８Ｈ１３ＮＯ５）ｎ
である。
【００１０】
ポリアルキレングリコールは酸化アルキレンを重合して得られる物質で、水に溶け、不揮発性の粘い液体または固体である。重合度（平均分子量として）２００〜６００のものは液体、１，０００以上は固体である。一般式は、
ＨＯ（ＣｍＨ２ｍＯ）ｎＨ
で、
ｍ＝１のときは、ポリメチレングリコール
ｍ＝２のときは、ポリエチレングリコール
ｍ＝３のときは、ポリプロピレングリコール
である。
【００１１】
本件発明を図面を参照して説明する。
請求項１の発明は、海底砂面６上に配置した崩壊性モルタル製ブロック体１の孔２にアマモ５の苗を挿通する植付方法であり、前記ブロック体１の孔２に生分解性素材で形成され柔軟性に富む円環状クッション体３を嵌着し、該クッション体３の植込孔４にアマモ５を挿通することを特徴とするアマモの植付方法である。
【００１２】
請求項２の発明は、海底砂面６上に配置した崩壊性モルタル製ブロック体１の孔２にアマモ５の苗を挿通する植付方法であり、生分解性素材で形成され柔軟性に富む円環状クッション体３の植込孔４にアマモ５を挿通した後、該クッション体３をブロック体１の孔２に嵌着することを特徴とするアマモの植付方法である。
【００１３】
請求項３の発明は、請求項１又は２の発明において、生分解性素材が、乳酸−ポリアルキレングリコール−クエン酸共重合樹脂または未加硫天然ゴムであることを特徴とするアマモの植付方法である。
【００１４】
請求項４の発明は、アマモ５の苗を海底砂面６に植付けるために使用する植付ブロックであり、孔２を貫通設した崩壊性モルタル製ブロック体１と、生分解性素材で形成されて柔軟性に富み、アマモ５の苗を挿通する植込孔４を貫通設し、前記ブロック体１の孔２に嵌着したクッション体３と、からなるアマモの植付ブロックである。
【００１５】
請求項５の発明は、請求項４の発明において、生分解性素材が、乳酸−ポリアルキレングリコール−クエン酸共重合樹脂または未加硫天然ゴムであることを特徴とするアマモの植付ブロックである。
【００１６】
【発明の実施の形態】
まず、本発明に係るアマモの植付方法の実施形態を、図１および図２を参照しながら説明する。これは、海底砂面６上に配置した崩壊性モルタル製ブロック体１の中心孔２にアマモ５の苗を挿通する植付方法であって、ブロック体１とアマモ５との間に生分解性素材で形成され柔軟性に富む円環状クッション体３を介在させて、アマモ５がブロック体１の孔２の内壁に接触するのを阻止している。
【００１７】
こうすることによって、アマモ５の葉や茎が硬質であるブロック体１の孔２の内壁によって損傷したり切断することがない。従って、アマモ５を、海底砂面６に効果的に着生させることができる。
【００１８】
なお、アマモ５の植付けは、ブロック体１の孔２にクッション体１を組付けした後、円環状クッション体３の植込孔４に挿通しても良いし、あらかじめ円環状クッション体３の植込孔４に挿通した後、そのクッション体をブロック体１の孔２に組付けることによって行なうこともできる。
【００１９】
本発明に係る植付ブロックの実施形態を説明する。これは、アマモ５の苗を海底砂面６に植付けるために使用する植付ブロックであって、ブロック体１と円環状クッション体３とから構成される。ブロック体１は、崩壊性モルタルブロック製で、その中心部に孔２を貫通して構成している。なお、本実施形態における孔２は一つであるが、複数設けることもできる。
【００２０】
円環状クッション体３は、生分解性素材で形成されて柔軟性に富み、アマモ５の苗を挿通する植込孔４を垂直方向に貫通設している。そして、ブロック体１の孔２に嵌着して、当該ブロック体１の孔２の内壁にアマモ５が接触するのを阻止する。この円環状クッション体３を設けたことにより、アマモ５の損傷や切断を未然に防止することができ、良好な生育を促進させることができる。なお、植込孔４の数も限定されない。
【００２１】
また、ブロック体１の孔２に対する円環状クッション体３の取付高さは、特に限定はしないが、ブロック体の孔２の内壁にアマモ５が接触するのを阻止するために、なるべく高い位置に取付ける方が良い。
【００２２】
本発明において、アマモ５が海底砂面６に確実に着生するころにはブロック体１は粉粒状態となって海流と共に流れ去り、また、円環状クッション体３も海水や微生物によって分解されて消滅する。従って、アマモ５が群生する藻場にはこれらブロック体１や円環状クッション体３は残存しない。
【００２３】
この生分解性素材には、アマモ５の生育を促進させる肥料や薬剤、あるいは海底砂面６の泥砂ならびに海水中の汚染物質を除去する環境修復物質などをあらかじめ配合しておくことができる。そうすることによって、アマモ５の順調な生育を促すと共に海水の浄化作用を促進させることができ、アマモ５を主体とした藻場によって，失われた海の自然環境を効果的に取り戻すことができる。
【００２４】
生分解性素材としては、セルロースやキチン等の天然素材，ポリ乳酸や脂肪族ポリエステル，未加硫天然ゴム等のうち、いずれを使用しても良いが、柔軟性、海水中における分解速度コントロール、あるいは熱に不安定な薬剤の混合が可能なことなどから、乳酸−ポリアルキレングリコール−クエン酸共重合樹脂と未加硫天然ゴムが特に好ましい。すなわち、こうした素材を使用することによって、柔軟性に富み、海水中で適度な速度で分解してアマモ５が海底砂面６に着生するころには消滅し、さらに、生育促進剤等の薬剤をその効力を失わせることなく混入することができる。
【００２５】
また、円環状クッション体３の成形方法は限定されるものではなく、例えば、発泡成形、未発泡成形、あるいは繊維状成形とすることができる。
【００２６】
【実施例】
横Ｆ＝１５０ｍｍ；縦Ｇ＝１５０ｍｍ；高さＨ＝５０ｍｍの崩壊性モルタル製ブロック体１の中央部に、内径Ｊ＝５０ｍｍの孔２を貫通設し、その孔２の上端縁に、内径Ｋ＝２０ｍｍの植付孔４を貫通設した外径Ｍ＝５０ｍｍ強、厚さＮ＝３ｍｍの乳酸−ポリプロピレングリコール〔ＨＯ（Ｃ３Ｈ６Ｏ）ｎＨ〕−クエン酸共重合樹脂製の円環状クッション体３を嵌着した。そして、その植付孔に、発芽から約２ケ月を経過したアマモ５の苗を差込み、その後３ケ月間、底部に砂を敷設した循環式の海水水槽中に設置した。
【００２７】
３ケ月経過後、海水水槽から引上げて茎や葉を観察した。その結果、アマモ５の葉や茎にブロック体１との接触による傷は確認されなかった。これにより、円環状クッション体３が、ブロック体１の孔２の内壁とアマモ５との接触を確実に阻止したことを確認できた。また、地下茎の伸長も確認できた。従って、本発明に係る植付ブロックを使用した植付方法でアマモ５を海底砂面６に良好に着生させることができることを確認した。
【００２８】
なお、同一形状のブロック体１を使用し、その孔２に円環状クッション体３を組付ける代わりに砂を入れ、その砂にアマモ５を植付け、前記と同じ条件で実験を行なった。３ケ月経過後、アマモ５にはブロック体１の孔２の内壁との接触による葉の一部切断と黄変ならびに茎の損傷が確認された。これにより、円環状クッション体３を使用しない場合は、アマモ５が損傷し、その生育が損なわれることをあらためて確認した。
【００２９】
【発明の効果】
本発明に係るアマモの植付方法および植付ブロックは、共に、崩壊性モルタルブロック製で硬質であるブロック体１の孔２に、柔軟なクッション体３を嵌入組付けし、その円環状クッション体３に設けた植付け孔にアマモ５の苗を挿通し、海底砂面６に載置するので、アマモ５がブロック体１の孔２の内壁に接触して損傷等することがない。従って、アマモ５の良好な生育を促し、着生率の向上を図ることができる。
【００３０】
また、生分解性素材を、乳酸−ポリアルキレングリコール−クエン酸共重合樹脂または未加硫天然ゴムにすることによって、柔軟性、海水中における分解速度のコントロール、あるいは熱に不安定な薬剤の混合が可能となり、好ましい円環状クッション体３を形成することができる。
【図面の簡単な説明】
【図１】  本発明の実施形態を示す斜視図である。
【図２】  図１に示す実施形態のブロック体とクッション体を示す分解斜視図である。
【符号の説明】
１  ブロック体
２  孔
３  クッション体
４  植込孔
５  アマモ
６  海底砂面
【図１】
0004747275.tif 000002
【図２】
0004747275.tif 000003